(57)【要約】      （修正有）【課題】書庫等の整理棚において仕切り板の装設固定をきわめて簡単になし得る仕切り板の固定装置を提供する。【解決手段】書庫等の整理棚１の棚板５に装設される仕切り板６の固定装置であって、仕切り板６の上部には上下動可能に設けた可動ブラケット７を取付け、該可動ブラケット７には当該仕切り板６を装設する棚板の上方に対向する天板２等に吸着可能な磁石１１を一体状に設ける。【選択図】図２
0003117475.tif 000002
【実用新案登録請求の範囲】
【請求項１】
書庫等の整理棚の棚板に装設される仕切り板の固定装置であって、仕切り板の上部には上下動可能に設けた可動ブラケットを取付け、該可動ブラケットには当該仕切り板を装設する棚板の上方に対向する天板等に吸着可能な磁石を一体状に設けたことを
特徴とする書庫等の整理棚における仕切り板の固定装置。
【請求項２】
書庫等の整理棚の棚板に装設される仕切り板の固定装置であって、仕切り板の下部には固定ブラケットを取付け、該固定ブラケットには当該仕切り板を装設する棚板に吸着可能な磁石を一体状に設けたことを特徴とする書庫等の整理棚における仕切り板の固定装置。
【請求項３】
書庫等の整理棚の棚板に装設される仕切り板の固定装置であって、仕切り板の上部には上下動可能に設けた可動ブラケットを取付け、該可動ブラケットには当該仕切り板を装設する棚板の上方に対向する天板等に吸着可能な磁石を一体状に設け、前記仕切り板の下部には固定ブラケットを取付け、該固定ブラケットには当該仕切り板を装設する棚板に吸着可能な磁石を一体状に設けたことを特徴とする書庫等の整理棚における仕切り板の固定装置。
【請求項４】
請求項１または３記載の書庫等の整理棚の棚板に装設される仕切り板の固定装置であって、仕切り板の上部に対し可動ブラケットを上下動可能及び締着可能に締付け手段を介して設けたことを特徴とする書庫等の整理棚における仕切り板の固定装置。
【考案の詳細な説明】
【技術分野】
【０００１】
本考案は、例えば、書籍等を収納する書棚や書庫、種々の書類や物品等を棚板を利用して整理する整理棚（本明細書においては、これらを総称して書庫等の整理棚と称する。）において、各棚板に対応して装設される仕切り板の固定装置に関する。
【背景技術】
【０００２】
一般に、この種の上記した仕切り板の取付けにあっては、線材から弾性的に変化し得るように仕切り部材を形成し、該仕切り部材を装設する当該棚板の上方に対向する天板や上位の棚板の下面に係合溝を係止して、この係合溝に前記線材から弾性的に変化し得るように形成した仕切り部材の上部係合片をその弾性を利用して嵌合係止するように装設する構成が採用されている。この手段は、従来周知の構成であるため、とくに特許文献としては未調査である。
【考案の開示】
【考案が解決しようとする課題】
【０００３】
しかしながら、上記した手段にあっては、いちいち係合溝に仕切り部材の上部係合片をその弾性を利用して嵌合係止する者であるため、装設作業がきわめて面倒かつ煩わしいものであり、その装設状態の安定化に欠けるという問題点を有していた。
そこで、本考案は、上記した問題点に鑑み、書庫等の整理棚において仕切り板の装設固定をきわめて簡単になし得る書庫等の整理棚における仕切り板の固定装置を提供することを課題とする。
【課題を解決するための手段】
【０００４】
上記した課題は、各請求項記載の発明によって解決される。
すなわち、請求項１記載の考案は、書庫等の整理棚の棚板に装設される仕切り板の固定装置であって、仕切り板の上部には上下動可能に設けた可動ブラケットを取付け、該可動ブラケットには当該仕切り板を装設する棚板の上方に対向する天板等に吸着可能な磁石を一体状に設けたことを特徴とする。
【０００５】
この考案にあっては、切り板を装設するに際し、棚板と天板或いは棚板と上位に位置される棚板との間において仕切り板を立てた状態で位置させると、可動ブラケットの磁石が該天板或いは上位に位置される棚板に吸着されるとともに，該可動ブラケットが仕切り板に対して上動されることによって、仕切り板をその天板或いは上位に位置される棚板に対し磁石により自動的に装設固止することができる。
【０００６】
請求項２記載の考案は、書庫等の整理棚の棚する板に装設される仕切り板の固定装置であって、仕切り板の下部には固定ブラケットを取付け、該固定ブラケットには当該仕切り板を装設する棚板に吸着可能な磁石を一体状に設けたことを特徴とする。
【０００７】
この考案にあっては、切り板を装設するに際し、棚板と天板或いは棚板と上位に位置される棚板との間において仕切り板を立てた状態で位置させると、固定ブラケットの磁石を当該棚板に吸着させることにより、そのままの立てた状態で仕切り板を棚板に対し自動的に装設固止することができる。
【０００８】
請求項３記載の考案は、書庫等の整理棚の棚板に装設される仕切り板の固定装置であって、仕切り板の上部には上下動可能に設けた可動ブラケットを取付け、該可動ブラケットには当該仕切り板を装設する棚板の上方に対向する天板等に吸着可能な磁石を一体状に設け、前記仕切り板の下部には固定ブラケットを取付け、該固定ブラケットには当該仕切り板を装設する棚板に吸着可能な磁石を一体状に設けたことを特徴とする。
【０００９】
この考案にあっては、切り板を装設するに際し、棚板と天板或いは棚板と上位に位置される棚板との間において仕切り板を立てた状態で位置させると、可動ブラケットの磁石が該天板或いは上位に位置される棚板に吸着されるとともに，該可動ブラケットが仕切り板に対して上動されることによって、仕切り板の上部側をその天板或いは上位に位置される棚板に対し磁石により自動的に固止するとともに、固定ブラケットの磁石を当該棚板に吸着させることにより、そのまま仕切り板の下部側を棚板に対し自動的に固止することができ、その装設固止状態を確実かつ強固にし得る。
【００１０】
請求項４記載の考案は、請求項１または３記載の書庫等の整理棚の棚板に装設される仕切り板の固定装置であって、仕切り板の上部に対し可動ブラケットを上下動可能及び締着可能に締付け手段を介して設けたことを特徴とする。
【００１１】
この考案にあっては、仕切り板が磁石により固止された状態において、締付け手段により仕切り板と可動ブラケットとを強固に締着することができる。
【考案の効果】
【００１２】
請求項１記載の考案によれば、仕切り板をその天板或いは上位に位置される棚板に対し磁石により自動的にかつきわめて簡単に装設固止することができる。
【００１３】
請求項２記載の考案によれば、仕切り板をその棚板に対し磁石により自動的にかつきわめて簡単に装設固止することができる。
【００１４】
請求項３記載の考案によれば、仕切り板の上部側及び下部側を自動的に固止することができ、その装設固止状態を確実かつ強固にし得る。
【００１５】
請求項４記載の考案によれば、締付け手段により仕切り板と可動ブラケットとを一層強固に締着することができる。
【考案を実施するための最良の形態】
【００１６】
次に、本考案を実施するための最良の形態について、実施例にしたがって説明する。
【実施例】
【００１７】
図１〜４に示すように、書籍等を収納する書棚や書庫、種々の書類や物品等を棚板を利用して整理する整理棚１は、少なくとも前面が開放され、その底板（図示しない）及び天板２、側板３、背板４で囲まれた直方体から形成されており、両側板間には、複数段の棚板５が配設されている。
【００１８】
この各棚板５に対応して横方向の収納間隔を区画する仕切り板６が、棚板６と天板２或いは棚板６と上位に位置する棚板６との間に装設されるものである。
なお、整理棚１は、少なくとも、天板２、側板３、棚板５は金属製から形成されるか、合成樹脂製の場合は、天板２、側板３、棚板５の所定部位の長手方向に金属製の部材を装着するものである。
【００１９】
そして、前記仕切り板６のほぼ上部において、ほぼ逆Ｌ字状の可動ブラケット７が上下動可能に装設されている。すなわち、この可動ブラケット７には上下方向に複数個の長孔８、８が貫設されていて、この長孔８、８に対向する仕切り板６の部位に締付けボルト９が設けられ、この締付けボルト９を可動ブラケット７に挿通して蝶ナット１０により締着することにより、仕切り板６と可動ブラケット７が取付けられるものである。
【００２０】
また、可動ブラケット７の上部には前記天板２或いは棚板５に吸着可能な磁石１１が一体状に設けられている。
【００２１】
さらに、仕切り板６のほぼ下部には、ほぼ逆Ｌ字状の可動ブラケット７が上下動可能に装設されている。すなわち、この可動ブラケット７には上下方向に複数個の長孔８、８が貫設されていて、この長孔８、８に対向する仕切り板６の部位に締付けボルト９が設けられ、この締付けボルト９を可動ブラケット７に挿通して蝶ナット１０により締着することにより、仕切り板６と可動ブラケット７が取付けられるものである。
【００２２】
また、可動ブラケット７の上部には、ほぼＬ字状の固定ブラケット１２が装設されていて、この固定ブラケット１２に下部には前記棚板５に吸着可能な磁石１３が一体状に設けられている。
【００２３】
上述のように構成された仕切り板６の固定装置にあって、仕切り板６を装設するに際し、仕切り板６と可動ブラケット７における取付け状態を、締付けボルト９に対して蝶ナット１０を弛緩して両者が相対的に上下動し得るようにしておき、棚板５と天板２或いは棚板５と上位に位置される棚板５との間において仕切り板６を立てた状態で位置させると、可動ブラケット７の磁石１１が該天板２或いは上位に位置される棚板５に吸着されるとともに，該可動ブラケット７が仕切り板６に対して上動される。
【００２４】
これによって、仕切り板６の上部側をその天板２或いは上位に位置される棚板５に対し磁石１１により自動的に固止するとともに、固定ブラケット１２の磁石１３を当該棚板５に吸着させることにより、そのまま仕切り板６の下部側を棚板５に対し自動的に固止することができる。
【００２５】
この状態において、締付けボルト９に対して蝶ナット１０を締め付けして両者を強固に取付けるものである。
【００２６】
本実施例においては、仕切り板６に対する可動ブラケット７の磁石１１或いは固定ブラケット１２の磁石１３のみよっても、仕切り板６を天板２或いは上位に位置される棚板５に対し自動的に固止装設することができる。
【００２７】
本実施例において、整理棚１の形態及び仕切り板６の形状、可動ブラケット７、固定ブラケット１２の形状は図示のものに限定するものではない。
【図面の簡単な説明】
【００２８】
【図１】本発明の一実施例の概略形態を示す一部破断斜視図である。
【図２】可動ブラケットの締着状態を示す斜視図である。
【図３】仕切り板の上部側の固止状態を示す断面図である。
【図４】仕切り板の下部側の固止状態を示す断面図である。
【符号の説明】
【００２９】
１  整理棚
２  天板
５  棚板
６  仕切り板
７  可動ブラケット
１１  磁石
１２  固定ブラケット
１３  磁石
【図１】
0003117475.tif 000003
【図２】
0003117475.tif 000004
【図３】
0003117475.tif 000005
【図４】
0003117475.tif 000006